(57)【特許請求の範囲】
【請求項１】
浴室内に横設されるカウンターの端面と、該カウンターの端面と対向する浴室壁面または浴槽エプロンとの間に、下方に収納部材を備えたサイドカウンターを取り付ける構造であって、
前記カウンターの端面及び、前記浴室壁面または浴槽エプロンにブラケットを固設し、該ブラケット上に、前記収納部材の左右側面から外側に突出した水平フランジ部を載せ、前記収納部材に前記サイドカウンターを配置したことを特徴とする浴室内のサイドカウンター取付構造。
【請求項２】
前記収納部材の水平フランジ部は、前記浴室壁面または浴槽エプロンから間隔をあけて前記ブラケット上に載せ、前記サイドカウンターの側垂部は、前記浴室壁面または浴槽エプロンと前記水平フランジ部との間で前記ブラケット上に載せたことを特徴とする請求項１に記載の浴室内のサイドカウンター取付構造。
【発明の詳細な説明】
【技術分野】
【０００１】
本発明は、浴室内におけるサイドカウンターの取付構造に関するものである。
【背景技術】
【０００２】
従来、特許文献１に開示されているように、浴室内に横設されるカウンターの端面と浴室壁面との間に、サイドカウンターを設け、このサイドカウンターの下方に、吊り下げ状に収納ラックを設けたものがある。
【特許文献１】特開２００２−２５３４４１号公報
【発明の開示】
【発明が解決しようとする課題】
【０００３】
上記特許文献１に開示されている収納ラックは、金属製の強度が大なものであり、この収納ラックを取り付けるために、サイドカウンターには取付支持部が形成されており、サイドカウンターに取付支持部を設ける必要があるため、サイドカウンターの成形性が悪くコストが高くなってしまうという問題点があった。
また、金属製の収納ラックを樹脂製のものに変える場合には、強度および耐久性の面で不安が生じるという問題点があった。
【課題を解決するための手段】
【０００４】
本発明は上記従来の問題点に鑑み案出したものであって、樹脂製の収納部材であっても強度を良好に確保することができ、また、サイドカウンターの成形性や意匠性が向上する浴室内のサイドカウンター取付構造を提供するものであり、その請求項１は、浴室内に横設されるカウンターの端面と、該カウンターの端面と対向する浴室壁面または浴槽エプロンとの間に、下方に収納部材を備えたサイドカウンターを取り付ける構造であって、前記カウンターの端面及び、前記浴室壁面または浴槽エプロンにブラケットを固設し、該ブラケット上に、前記収納部材の左右側面から外側に突出した水平フランジ部を載せ、前記収納部材に前記サイドカウンターを配置したことである。
【０００５】
また、請求項２は、前記収納部材の水平フランジ部は、前記浴室壁面または浴槽エプロンから間隔をあけて前記ブラケット上に載せ、前記サイドカウンターの側垂部は、前記浴室壁面または浴槽エプロンと前記水平フランジ部との間で前記ブラケット上に載せたことである。
【発明の効果】
【０００６】
本発明は、浴室内に横設されるカウンターの端面と、該カウンターの端面と対向する浴室壁面または浴槽エプロンとの間に、下方に収納部材を備えたサイドカウンターを取り付ける構造であって、前記カウンターの端面及び、前記浴室壁面または浴槽エプロンにブラケットを固設し、該ブラケット上に、前記収納部材の左右側面から外側に突出した水平フランジ部を載せ、前記収納部材に前記サイドカウンターを配置したことにより、ブラケットにはサイドカウンター及び収納部材がそれぞれ載置されているため、サイドカウンターのみ、或いは.収納部材のみを取り外して使用することも可能となり、また収納部材はブラケットに載せられているため、樹脂製のものであっても、強度や耐久性が得られるものとなる。
また、サイドカウンターには収納部材を取り付けるための取付部を形成させておく必要がなく、サイドカウンターの意匠性や成形性が向上し、製造コストの面でも有利なものとなる。
【０００７】
また、前記収納部材の水平フランジ部は、前記浴室壁面または浴槽エプロンから間隔をあけて前記ブラケット上に載せ、前記サイドカウンターの側垂部は、前記浴室壁面または浴槽エプロンと前記水平フランジ部との間で前記ブラケット上に載せたことにより、収納部材を動かしてもサイドカウンターは動かず、良好な使用勝手が得られるものとなる。
【実施例】
【０００８】
以下、本発明の実施例を図面に基づいて説明する。
図１は、浴室内の配置構成図であり、浴室１内には浴槽２が設けられ、浴槽２の洗い場３側にはエプロン２ａが立設されている。また、洗い場３側の正面壁面４には、エプロン２ａに左端側を当接させてカウンター５が横設されており、カウンター５上には水栓６が設けられ、水栓６にはハンドシャワー７が接続されている。
また、正面壁面４には、カウンター５上方に鏡８が設けられ、鏡８の右方には棚９が設けられている。
正面壁面４と直交する浴槽２と対向した対向壁面１０と、カウンター５の右端間に、サイドカウンター１１が設けられており、このサイドカウンター１１の下方には、収納部材１２が設けられている。
【０００９】
このサイドカウンター１１と収納部材１２の組み付け状態は図２の斜視図で示し、また構成部材の分解図は図３に示す。
サイドカウンター１１は、洗い場３側へ水勾配が形成された天板部１１０を有し、この天板部１１０には洗い場３側へ排水を流すための排水溝１１０ａが複数凹み状に形成されている。天板部１１０の後端側には、一段立ち上げてバックガード部１１１が形成されており、また逆の天板部１１０の前端側には、垂下状に前垂部１１２が形成されている。また天板部１１０の左右の側面には、垂下状に側垂部１１３が一体形成されており、この側垂部１１３には、下方が開放されてコの字状に切り欠いた凹部１１３ａが形成されている。
【００１０】
また、収納部材１２は全体が樹脂で形成されており、前縁側の高さが高く後方側に下傾した傾斜底板部１２０を有し、この傾斜底板部１２０の後端側では、傾斜状に立ち上げて立上部１２１が連続形成されており、更に立上部１２１の上端には一段高い段部１２２が連続形成されている。この傾斜底板部１２０および立上部１２１，段部１２２の左右には、一体状に立ち上げて側板部１２３ａ，１２３ｂが形成されており、各側板部１２３ａ，１２３ｂの上端には、水平状に外側へ一体状に折り曲げて水平フランジ部１２４ａ，１２４ｂが形成され、水平フランジ部１２４ａ，１２４ｂの外端で、それぞれ垂下状に折り返し片１２５ａ，１２５ｂが一体形成されている。
この収納部材１２の傾斜底板部１２０上には、シャンプーボトル等の浴室内で使用する備品を傾斜状に載せて収納させておくことができるものである。
【００１１】
また、本例では、サイドカウンター１１および収納部材１２をそれぞれ支持するために、左右一対のブラケット１３，１３が用いられており、図示左側のブラケット１３はカウンター５の右端側に固定され、図示右側のブラケット１３は対向壁面１０に固定されるものである。
この左右のブラケット１３は、カウンター５の端面または対向壁面１０に当接状に固定される固定部１３０を有し、この固定部１３０の上端に水平状に載置部１３１が一体形成されており、この載置部１３１と固定部１３０間には、三角形状に間隔をおいて複数の補強リブ１３３が一体形成されて、補強リブ１３３により強度が確保されている。
【００１２】
また、載置部１３１の固定部１３０と反対側の端縁には、上方へ立ち上げて一対の立上爪片１３２，１３２が一体形成されている。
なお、ブラケット１３の固定片１３０には、一対の縦長状の縦長孔１３０ａ，１３０ａが形成されており、この各縦長孔１３０ａ，１３０ａ内にビスを差し込んで、ビスによりブラケット１３を、カウンター５の端面あるいは対向壁面１０に固定することができるものであり、縦長孔１３０ａにより高さ方向の調整が可能である。
【００１３】
ブラケット１３を対向壁面１０に固定して、この上にサイドカウンター１１および収納部材１２を載せた要部の断面拡大図を図４に示す。
対向壁面１０に固定されたブラケット１３の載置部１３１上に、先ず収納部材の折り返し片１２５ｂを当接させ、ブラケットの立上爪片１３２の上方に水平フランジ部１２４ｂを跨がせた状態で、ブラケット１３上に収納部材１２の水平フランジ部１２４ｂを載せて、ブラケット１３で収納部材１２を支持することができ、この水平フランジ部１２４ｂは、対向壁面１０から間隔をおいてブラケット１３上に載せて設置し、その上からサイドカウンター１１をブラケット１３上に載せ、サイドカウンター１１の側垂部１１３は、対向壁面１０にほぼ当接状に近接させて設置することができるものであり、この状態では図２に示すように、ブラケット１３はサイドカウンター１１の凹部１１３ａ内に嵌まり込み、収納部材１２の水平フランジ部１２４ｂおよび折り返し片１２５ｂは、サイドカウンター１１の前垂部１１２に前面が覆われて隠蔽され、すっきりとした設置状態が得られるものである。
【００１４】
このように、左右一対のブラケット１３，１３上に、サイドカウンター１１と収納部材１２をそれぞれ載せて取り付けたことにより、収納部材１２が樹脂製のものであっても良好な支持強度や耐久性が得られるものとなり、サイドカウンター１１側には、収納部材１２を吊り下げるための取付部等を設ける必要がないため、サイドカウンターの成形性や意匠性を向上することができ、サイドカウンター１１のコストを低減させて成形することができるものとなる。
【００１５】
また、サイドカウンター１１および収納部材１２を別々にブラケット１３に載置するものであるため、サイドカウンター１１のみ、或いは収納部材１１のみを外して使用することも可能となり、更には図４のように、収納部材１２は対向壁面１０から間隔をおいてブラケット１３上に載せ、サイドカウンター１１は対向壁面１０に近接させてブラケット１３上に載せることで、収納部材１２が動いてもサイドカウンター１１は動くことがなく、ポンプ等の振動が作用した時にもサイドカウンター１１は動くことなく、しっかりとした設置状態が得られるものである。
【００１６】
なお、図２のようなサイドカウンター１１および収納部材１２は、浴槽２の壁面またはエプロン２ａとカウンター５の左端との間に設置することもできるものであり、この場合は、左側のブラケット１３は浴槽２の壁面あるいはエプロン２ａに固定されることとなり、右側のブラケット１３はカウンター５の左端面に固定されることとなる。
【００１７】
なお、図５は変形例を示すものであり、図５では、エプロン２ａに固定したブラケット１３に対し、サイドカウンター１１及び収納部材１２を載せて取り付けた要部拡大縦断面構成図を示している。
この図５では、ブラケット１３に立上爪片がなく、また収納部材１２の折り返し片がなく、またサイドカウンター１１の側垂部１１３には凹部がなく、簡単なすっきりとした形状に形成されており、エプロン２ａにビス１４で固設されたブラケット１３の載置部１３１上に、収納部材１２の水平フランジ部１２４ａを載せて設置し、更にこの収納部材の水平フランジ部１２４ａ上に、サイドカウンター１１の側垂部１１３の下端を当接させて載せて設置したものである。
【００１８】
このような単純な構造でも、収納部材１２はブラケット１３により強固に支持されて強度が確保されるものであり、また、サイドカウンター１１は単純な構造にして意匠性や成形性を向上させることができるものとなり、更には、サイドカウンター１１及び収納部材１２の何れかのみを取り外して使用することも可能である。
【図面の簡単な説明】
【００１９】
【図１】浴室内の配置構成図である。
【図２】浴室内に設置されたサイドカウンターの組立状態の斜視構成図である。
【図３】サイドカウンターと収納部材とブラケットの分解斜視構成図である。
【図４】壁面に固定されたブラケット上に、収納部材の水平フランジ部とサイドカウンターを載せて設置した状態の要部拡大縦断面構成図である。
【図５】変形例を示す図４に対応した要部縦断面拡大構成図である。
【符号の説明】
【００２０】
１  浴室
２  浴槽
２ａ  エプロン
３  洗い場
５  カウンター
１１  サイドカウンター
１２  収納部材
１３  ブラケット
１４  ビス
１１０  天板部
１１０ａ  排水溝
１１１  バックガード部
１１２  前垂部
１１３  側垂部
１１３ａ  凹部
１２０  傾斜底板部
１２１  立上部
１２２  段部
１２３ａ，１２３ｂ  側板部
１２４ａ，１２４ｂ  水平フランジ部
１２５ａ，１２５ｂ  折返し片
１３０  固定部
１３０ａ  縦長孔
１３１  載置部
１３２  立上爪片
【図１】
0004703410.tif 000002
【図２】
0004703410.tif 000003
【図３】
0004703410.tif 000004
【図４】
0004703410.tif 000005
【図５】
0004703410.tif 000006